(57)【要約】【課題】  筐体本体内に電気音響変換器を設けた携帯端末装置において、筐体本体の厚さ寸法を薄くできるようにする。【解決手段】  電気音響変換器１５と、該電気音響変換器１５の少なくとも音口側を覆うと共に、前記音口側と外気とを連通する導音孔１７ａを備えたカバー部材１７とを有する電気音響変換モジュール９と、該電気音響変換モジュール９を収容する筐体本体２とを備えた携帯端末装置であって、前記筐体本体２に開口部２ｄが設けられ、該開口部２ｄから前記導音孔１７ａを含む電気音響変換モジュール９の一部を前記筐体本体２の外方に突出させることを特徴とする携帯端末装置を提供する。【選択図】      図３
2006014196.tif 000002
【特許請求の範囲】
【請求項１】
電気音響変換器と、該電気音響変換器の少なくとも音口側を覆うと共に、前記音口側と外気とを連通する導音孔を備えたカバー部材とを有する電気音響変換モジュールと、該電気音響変換モジュールを収容する筐体本体とを備えた携帯端末装置であって、
前記筐体本体に開口部が設けられ、該開口部から前記導音孔を含む電気音響変換モジュールの一部を前記筐体本体の外方に突出させることを特徴とする携帯端末装置。
【請求項２】
前記カバー部材が弾性体からなることを特徴とする請求項１に記載の携帯端末装置。
【請求項３】
前記筐体本体が、厚さ方向に重ね合わせ可能な２つの筐体からなり、
これら２つの筐体を開閉可能に連結する連結手段を備えることを特徴とする請求項１又は請求項２に記載の携帯端末装置。
【請求項４】
前記開口部が、前記２つの筐体を重ね合わせた状態において向かい合う一方の筐体の対向面に設けられ、
前記２つの筐体を重ね合わせた状態において、互いの対向面の間に微少隙間が形成されるように、前記開口部から突出する前記電気音響変換モジュールの一部を他方の筐体の対向面に当接させることを特徴とする請求項３に記載の携帯端末装置。
【発明の詳細な説明】
【技術分野】
【０００１】
本発明は、携帯電話機やＰＤＡ（Personal Digital Assistants）等の携帯端末装置に関するものであり、さらには、重ね合わせ可能な２つの筐体を開閉可能に連結する携帯端末装置に好適なものである。
【背景技術】
【０００２】
従来、携帯電話機やＰＤＡ（Personal Digital Assistants）等の携帯端末装置は、筐体本体内に、各種データを表示する表示部、複数の押圧可能な操作キーからなる操作部、及び音を放音する電気音響変換器としてのスピーカ等の電気部品を備えている。この携帯端末装置は、筐体本体表面に形成された開口より表示部の表示面や操作部の操作キーが外方に露出すると共に、筐体本体表面に形成された導音孔を介してスピーカの音を外方に放音するように構成されている。
また、携帯電話機においては、上記構成に加えて音を集音する電気音響変換器としてのマイクロフォンを筐体本体内に備え、筐体本体表面に形成された導音孔により導かれた外方からの音をマイクロフォンに集音するように構成されていた（例えば、特許文献１参照。）。
【特許文献１】特開２００３−１６９１１５号公報
【発明の開示】
【発明が解決しようとする課題】
【０００３】
ところで、近年、携帯端末装置は小型化が要求される一方で高機能化する傾向にあるため、筐体本体内に配置する各種電気部品の配置に苦慮するという課題がある。例えば、携帯電話機においては、電話機としての機能以外にカメラ機能やナビゲーション機能等が付加されるようになり、これに伴って筐体本体内に収容する電気部品の数が増大するため、小型化のために筐体本体の厚さ寸法を薄くすることが困難となっている。
また、従来の携帯端末装置では、電気音響変換器を構成するマイクロフォンに音を集音したり、スピーカから音を放音するための導音孔が筐体本体に一体的に形成されているため、携帯端末装置の外観デザインの検討に際して部分的に色や質感を異ならせることが難しく、外観デザインに制約がある。
上述した課題は、携帯電話機に限らず、ＰＤＡ等の他の携帯端末装置においても同様に存在する。
【課題を解決するための手段】
【０００４】
上記課題を解決するために、この発明は以下の手段を提案している。
本発明に係る携帯端末装置は、電気音響変換器と、この電気音響変換器の少なくとも音口側を覆うと共に、前記音口側と外気とを連通する導音孔を備えたカバー部材とを有する電気音響変換モジュールと、この電気音響変換モジュールを収容する筐体本体とを含み、前記筐体本体に開口部が設けられ、この開口部から前記導音孔を含む電気音響変換モジュールの一部を前記筐体本体の外方に突出させることを特徴とする。なお、電気音響変換器としては、例えば、通話用や着信用としてのスピーカや通話用としてのマイクロフォンのことをいう。
【０００５】
また、本発明に係る携帯端末装置は、前記カバー部材を弾性体により形成したことを特徴とする。
さらに、本発明に係る携帯端末装置は、前記筐体本体が厚さ方向に重ね合わせ可能な２つの筐体からなり、これら２つの筐体を開閉可能に連結する連結手段を備えることを特徴とする。
また、本発明に係る携帯端末装置は、前記開口部を前記２つの筐体が重ね合わせられたときに向かい合う一方の筐体の対向面に形成すると共に、前記２つの筐体を重ね合わせたときに互いの対向面の間に微少隙間が形成されるように、前記開口部から突出する前記電気音響変換モジュールの一部を他方の筐体の対向面に当接させることを特徴とする。
【発明の効果】
【０００６】
本発明によれば、電気音響変換モジュールの一部を筐体本体表面から突出させるようにしたことから、電気音響変換器を筐体本体の壁面側に近づけて配置することができ、他の電気部品のためのスペースを確保することができると共に、筐体本体の厚さ寸法を薄くすることが可能となる。
また、筐体本体表面から電気音響変換モジュールの一部を突出させるようにしたことから、電気音響変換モジュールを筐体本体とは異なる材質で形成したり、筐体本体とは異なる色にすることで、携帯端末装置に多様なデザインを施すことができる。
【発明を実施するための最良の形態】
【０００７】
図１から図３は本発明に係る一実施形態を示しており、ここで説明する実施の形態は、この発明を携帯電話機に適用した場合のものである。この実施の形態に係る携帯電話機（携帯端末装置）１は、図１に示すように、筐体本体としての矩形状の第１の筐体２、及び、第１の筐体２の厚さ方向に重ね合わせ可能な矩形状の第２の筐体３と、これら２つの筐体２，３を相互に折り畳み自在に連結するヒンジ部（連結手段）５とを備えている。なお、ヒンジ部５は、２つの筐体２，３の長手方向の端部２ａ，３ａ（以下、基端部２ａ，３ａと呼ぶ。）同士を連結するように配されている。
【０００８】
第１の筐体２の内部には、通話キー、終話キー等の各種の押圧可能な操作キーからなる操作部７および通話用のマイクロフォン部（電気音響変換モジュール）９が設けられている。マイクロフォン部９は、基端部２ａとは反対側に位置する第１の筐体２の先端部２ｂに配されており、平面視で略円形に形成されている。また、第２の筐体３の内部には、各種情報を表示するための表示部１１及びスピーカ部１３が設けられている。
表示部１１及びスピーカ部１３は、２つの筐体２，３を相互に折り畳んで重ね合わせた状態において第１の筐体２と対向する第２の筐体３の対向面３ｃから外方に露出している。また、操作部７及びマイクロフォン部９は、２つの筐体２，３を折り畳んで重ね合わせた状態において第２の筐体３と対向する第１の筐体２の対向面２ｃから外方に露出している。なお、マイクロフォン部９は、図２に示すように、第１の筐体２の対向面２ｃから外方に突出している。
【０００９】
このマイクロフォン部９は、図３に示すように、マイク本体（電気音響変換器）１５と、マイク本体１５を保護するホルダー部材（カバー部材）１７とを備えており、マイク本体１５は、音口が設けられた頂面１５ａに外方からの音響が到達した際に、音響を電気信号に変換するものである。
ホルダー部材１７は、エストラマ、ゴム等の弾性変形可能な弾性体からなり、マイク本体１５が２つの筐体２，３に直接接触しないように、マイク本体１５の頂面１５ａ及び側面を被覆して形成されている。このホルダー部材１７には、マイク本体１５の頂面１５ａの一部を外方に露出させる導音孔１７ａが形成されている。
【００１０】
このように構成されたマイクロフォン部９は、マイク本体１５の頂面１５ａが第１の筐体２の外側に向くように、第１の筐体２の対向面２ｃから内部に貫通する開口部２ｄに挿通されており、第１の筐体２の対向面２ｃを構成するフロントケース１９に一体的に固定されている。
すなわち、マイク本体１５の頂面１５ａ側に位置するホルダー部材１７の周縁部には段差面１７ｂが形成されている。そして、マイクロフォン部９を第１の筐体２の内部側から外側に向けて挿通させた状態においては、この段差面１７ｂが開口部２ｄの周縁に位置するフロントケース１９の内面１９ａに当接する。このため、マイクロフォン部９は、この開口部２ｄから第１の筐体２の外方に抜け出ることがない。なお、フロントケース１９の内面１９ａは、対向面２ｃの反対側に位置する面を指し示している。
【００１１】
また、フロントケース１９の内面１９ａには、マイクロフォン部９を囲む突出壁部２１が形成されている。突出壁部２１は、マイクロフォン部９を開口部２ｄに挿通させた状態において、マイクロフォン部９の側部に接触して、マイクロフォン部９が対向面２ｃに沿う方向に移動することを規制している。
さらに、この突出壁部２１の先端には、ホルダー部材１７の周縁部に係合する鉤状の爪部２１ａが形成されている。この爪部２１ａは、ホルダー部材１７に係合している状態において、フロントケース１９の内面と共にホルダー部材１７を挟み込んでおり、マイクロフォン部９の一部が開口部２ｄから第１の筐体２の内部側に抜け落ちることを防止している。
【００１２】
上述のように第１の筐体２のフロントケース１９に固定されたマイクロフォン部９は、第１の筐体２の内部に配された回路基板２３に電気接続されている。この回路基板２３は、フロントケース１９と共に第１の筐体２を構成するリアケース２５に固定されている。マイクロフォン部９に対向する回路基板２３の上面２３ａには、接続端子２７が設けられており、この接続端子２７は、回路基板２３に対向するマイク本体１５の裏面１５ｂに接触した状態において、マイク本体１５と回路基板２３とを電気接続するものである。この接続端子２７は、マイク本体１５を第１の筐体２の内部側から外側に向けて押し付ける弾性部材から形成されている。
【００１３】
以上のように構成された携帯電話機１を製造する際には、マイクロフォン部９の一部を第１の筐体２の内部側から開口部２ｄに挿通させて、第１の筐体２の対向面２ｃから外方に突出させる。したがって、マイク本体１５をフロントケース１９に近づけて配置することができ、他の電気部品配置のためのスペースを確保することができると共に、第１の筐体２の厚さ寸法を薄くすることが可能となる。
また、この製造の際には、図３に示すように、マイクロフォン部９及び回路基板２３をそれぞれ固定したフロントケース１９及びリアケース２５を接合して第１の筐体２を構成する。この際には、接続端子２７がマイク本体１５に押し付けられるため、マイク本体１５と回路基板２３とが電気的に接続されることになり、この接続端子２７の付勢力によりこの電気接続を確実に保持することができる。
【００１４】
また、本実施形態によれば、２つの筐体２，３を相互に重ね合わせた状態においては、マイクロフォン部９のホルダー部材１７が第２の筐体３の対向面３ｃに当接し、図２に示すように、２つの筐体２，３間に隙間が形成されることになる。したがって、第１の筐体２に前記隙間を形成するための突起を別途設けることなく、２つの筐体２，３が擦れ合うことを防止できると共に、携帯電話機１を構成する部品点数の削減を図ることができる、すなわち、携帯電話機１の製造コストの削減を図ることができる。
また、各筐体２，３の対向面２ｃ，３ｃが操作部７や表示部１１に触れることがないため、操作部７や表示部１１が傷つくことを防止できると共に、操作部７の誤操作も防止できる。
さらに、第１の筐体２によりマイクロフォン部９の一部を突出させるようにしたことから、マイクロフォン部９のホルダー部材１７を第１の筐体２とは異なる材質で形成したり、第１の筐体２とは異なる色にすることで、携帯電話機１に多様なデザインを施すことができる。
【００１５】
また、弾性体により形成され、マイク本体１５を被覆するホルダー部材１７が、第２の筐体３の対向面３ｃに当接させることで、マイク本体１５を確実に保護できると共に、第２の筐体３の対向面３ｃが傷つくことも防止できる。また、２つの筐体２，３を相互に閉じた状態において、これら筐体２，３の厚さ方向に外力が加えられても、ホルダー部材１７が弾性変形してこの外力を吸収することもできる。
【００１６】
なお、上記実施形態において、マイクロフォン部９はフロントケース１９に固定されるとしたが、これに限ることはなく、例えば、図４に示すように、回路基板２３に固定されるとしても構わない。すなわち、ホルダー部材１７がマイク本体１５の裏面１５ｂ側から突出する略楔状の鉤部１７ｃを備え、回路基板２３がその厚さ方向に貫通し、鉤部１７ｃを係合させる孔２３ｂを有する構成としてもよい。
なお、この構成においては、鉤部１７ｃとマイク本体１５の裏面１５ｂ側とで回路基板２３をその厚さ方向に挟み込むことにより、マイクロフォン部９と回路基板２３とを相互に固定している。このため、ホルダー部材１７はマイク本体１５の裏面１５ｂを被覆するように形成しておくことが好ましい。これにより、マイクロフォン部９が回路基板２３に向けて押し付けられても、マイク本体１５は回路基板２３に直接接触せず、ホルダー部材１７の弾性力によってマイク本体１５の保護を図ることができる。
【００１７】
また、ホルダー部材１７は、マイク本体１５の頂面１５ａを被覆して形成されるとしたが、例えば、図５に示すように、この頂面１５ａの被覆部分から第２の筐体３の対向面３ｃ側に突出する複数の突起部１７ｄを追加した構成としても構わない。
また、ホルダー部材１７は、マイク本体１５の頂面１５ａに貼り付けられるとしたが、これに限ることはなく、例えば、図６に示すように、マイク本体１５の頂面１５ａとホルダー部材１７との間に隙間を設け、ホルダー部材１７からマイク本体１５の頂面１５ａに向けて突出し、かつ、マイク本体１５の頂面１５ａに当接する突起部１７ｅを複数設けるとしてもよい。
以上のように、ホルダー部材１７に突起部１７ｄ，１７ｅを追加した場合には、マイク本体１５の頂面１５ａと第２の筐体３の対向面３ｃとの間に位置するホルダー部材１７の厚さ寸法が部分的に増すため、ホルダー部材１７のクッション性がさらに増し、マイク本体１５の保護を確実に行うことができる。
【００１８】
また、ホルダー部材１７が略楔状の鉤部１７ｃを備える場合には、マイク本体１５の裏面１５ｂ側を被覆するとしたが、これに限ることはなく、少なくともホルダー部材１７により回路基板２３を厚さ方向に挟み込む構成となっていればよい。すなわち、例えば、図７に示すように、ホルダー部材１７のうち、マイク本体１５の側面を被覆する部分から外方側に突出する突出部１７ｆを形成しておき、この突出部１７ｆと鉤部１７ｃとにより回路基板２３を挟み込んで固定するとしても構わない。
この構成の場合には、ホルダー部材１７によりマイク本体１５の裏面１５ｂを被覆する必要が無くなるため、マイク本体１５と回路基板２３との電気接続を容易に行うことができる。
【００１９】
さらに、マイクロフォン部９は、平面視で略円形に形成されるとしたが、これに限ることはなく、例えば、図８に示すように、マイク本体１５の大きさと比較して、ホルダー部材１７を大きく形成し、平面視で楕円形に形成されるとしてもよい。
また、ホルダー部材１７の一部は、第１の筐体２に形成された１つの開口部２ｄのみから突出するとしたが、これに限ることはなく、例えば、図９，１０に示すように、ホルダー部材１７に、第１の筐体２の対向面２ｃに別途形成した開口部２ｅから外方に突出する複数の突起部１７ｆを一体的に形成するとしても構わない。これら突起部１７ｆは、２つの筐体２，３を重ね合わせた状態において、マイクロフォン部９を構成するホルダー部材１７の一部と共に、第２の筐体３の対向面３ｃに当接することになる。
これらの構成の場合には、第２の筐体３の対向面３ｃに接触するホルダー部材１７の面積が増加するため、２つの筐体２，３を重ね合わせた状態において外方から衝撃が加えられても、この衝撃をさらに確実に吸収してマイク本体１５の保護を図ることができる。
【００２０】
また、ホルダー部材１７は、マイク本体１５の頂面１５ａや側面を被覆するとしたが、これに限ることはなく、少なくとも２つの筐体２，３を重ね合わせた状態において、第２の筐体３の対向面３ｃがマイク本体１５に直接接触しないように形成されていればよい。すなわち、ホルダー部材１７は、例えば、マイク本体１５の頂面１５ａのみに貼り付けて設けるとしても構わない。
【００２１】
さらに、マイクロフォン部９が第１の筐体２の対向面２ｃから外方に突出するとしたが、これに限ることはなく、例えば、スピーカ部１３を第２の筐体３の対向面３ｃから外方に突出させるとしても構わない。この場合でも、スピーカ部１３はマイクロフォン部９と同様に、電気信号を音響に変換するスピーカ本体（電気音響変換器）と、スピーカ本体を被覆するホルダー部材とからなる電気音響変換モジュールを構成することが好ましい。
この構成の場合でも、上述した実施形態と同様の効果を奏する。また、この構成の場合には、スピーカ部１３が第２の筐体３の対向面３ｃから突出するため、例えば、通話を行う際に、突出したスピーカ部１３を耳の穴に挿入することができる。したがって、屋外などの雑音の大きい環境下においても、スピーカ部１３の出力音量を上げることなく、スピーカ部１３から発生する音響を容易に聞き取ることができる。
【００２２】
また、上述したマイクロフォン部９やスピーカ部１３を利用して２つの筐体２，３間に隙間を形成する構成は、ヒンジ部５により２つの筐体２，３を折り畳み自在に連結した携帯電話機１に適用することに限らず、少なくとも厚さ方向に重ね合わせ可能な２つの筐体を相互に開閉可能に連結した携帯電話機に適用することができる。したがって、例えば、この構成は、２つの筐体をその厚さ方向に延びる軸線を中心に回動可能に連結した携帯電話機に適用されるとしても構わない。
さらに、携帯電話機１は、相互に重ね合わせ可能な２つの筐体２，３を備えるとしたが、これに限ることはなく、例えば、マイクロフォン部やスピーカ部を収容する１つの筐体（筐体本体）を備えるとしてもよい。この構成においても、マイクロフォン部やスピーカ部の一部を筐体表面から突出させることで、他の電気部品のためのスペースを確保することができると共に、筐体の厚さ寸法を薄くすることができる。
【００２３】
また、携帯電話機に限ることはなく、少なくともスピーカ部若しくはマイクロフォン部を備えた携帯端末装置であればよく、例えば、ＰＤＡやノートパソコンであっても構わない。
以上、本発明の実施形態について図面を参照して詳述したが、具体的な構成はこの実施形態に限られるものではなく、本発明の要旨を逸脱しない範囲の設計変更等も含まれる。
【図面の簡単な説明】
【００２４】
【図１】この発明の一実施形態に係る携帯電話機を構成する２つの筐体を相互に開いた状態を示す概略平面図である。
【図２】図１の携帯電話機において、２つの筐体を相互に重ね合わせた状態を示す概略側面図である。
【図３】図１の携帯電話機において、マイクロフォン部を示す拡大断面図である。
【図４】この発明の他の実施形態に係る携帯電話機のマイクロフォン部を示す拡大断面図である。
【図５】この発明の他の実施形態に係る携帯電話機のマイクロフォン部を示す拡大断面図である。
【図６】この発明の他の実施形態に係る携帯電話機のマイクロフォン部を示す拡大断面図である。
【図７】この発明の他の実施形態に係る携帯電話機のマイクロフォン部を示す拡大断面図である。
【図８】この発明の他の実施形態に係る携帯電話機のマイクロフォン部を示す斜視図である。
【図９】この発明の他の実施形態に係る携帯電話機のマイクロフォン部を示す斜視図である。
【図１０】この発明の他の実施形態に係る携帯電話機のマイクロフォン部を示す拡大断面図である。
【符号の説明】
【００２５】
１  携帯電話機（携帯端末装置）
２  第１の筐体
２ｃ  対向面
２ｄ  開口部
３  第２の筐体
３ｃ  対向面
５  ヒンジ部（連結手段）
９  マイクロフォン部（電気音響変換モジュール）
１５  マイク本体（電気音響変換器）
１７  ホルダー部材（カバー部材）
１７ａ  導音孔
【図１】
2006014196.tif 000003
【図２】
2006014196.tif 000004
【図３】
2006014196.tif 000005
【図４】
2006014196.tif 000006
【図５】
2006014196.tif 000007
【図６】
2006014196.tif 000008
【図７】
2006014196.tif 000009
【図８】
2006014196.tif 000010
【図９】
2006014196.tif 000011
【図１０】
2006014196.tif 000012